(57)【要約】  【課題】特定のパソコン利用を前提とせずにセキュリティを確保できるとともに、ホストパソコンの起動、制御可能で、ユビキタス環境を簡単に実現できる携帯電話機を利用したパソコン制御システム及び携帯電話機を提供する。  【解決手段】パソコン動作を制御するプログラムが格納されている携帯型記憶媒体１１が装着された携帯電話機１と、パソコン２がＵＳＢケーブル３を介して接続され、携帯型記憶媒体１１に格納されているプログラムに基づいてパソコン２の動作を制御する。パソコン２の利用終了時には、作業データは携帯型記憶媒体１１にのみ保存される。【選択図】        図１
2005202770.tif 000002
【特許請求の範囲】
【請求項１】
パソコン動作を制御するプログラムが格納されている携帯型記憶媒体が装着された携帯電話機と、パソコンがＵＳＢケーブルを介して接続され、前記携帯型記憶媒体に格納されているプログラムに基づいて前記パソコン動作を制御することを特徴とする携帯電話機を利用したパソコン制御システム。
【請求項２】
前記携帯型記憶媒体には、パソコン用の所定のアプリケーションプログラムが格納されていることを特徴とする請求項１に記載の携帯電話機を利用したパソコン制御システム。
【請求項３】
前記所定のアプリケーションプログラムは、インターネットを介して接続されているサーバ内に用意されていることを特徴とする請求項１又は２に記載の携帯電話機を利用したパソコン制御システム。
【請求項４】
前記パソコン使用中は前記携帯型記憶媒体へのアクセスが禁止されていることを特徴とする請求項１乃至３のいずれかに記載の携帯電話機を利用したパソコン制御システム。
【請求項５】
前記パソコンの利用終了時には、作業データは前記携帯型記憶媒体にのみ保存されることを特徴とする請求項１乃至４のいずれかに記載の携帯電話機を利用したパソコン制御システム。
【請求項６】
パソコン動作を制御するプログラムが格納されている携帯型記憶媒体が装着された携帯電話機と、パソコンがＵＳＢケーブルを介して接続され、前記携帯型記憶媒体に格納されているプログラムに基づいて前記パソコン動作が制御され、
通信回線を介して前記パソコンに接続されているホストパソコンを起動して制御することを特徴とする携帯電話機を利用したパソコン制御システム。
【請求項７】
前記携帯型記憶媒体の前記携帯電話機への装着に応答して、前記パソコンの所定のプログラムが立ち上がり、前記ホストパソコンの状態を監視し、その電源がオフであるときには当該電源をオンとした後、前記ホストパソコンを起動して制御することを特徴とする請求項６に記載の携帯電話機を利用したパソコン制御システム。
【請求項８】
前記パソコンとホストパソコン間で授受されるデータは暗号化されていることを特徴とする請求項６又は７に記載の携帯電話機を利用したパソコン制御システム。
【請求項９】
前記クライアントパソコンから送出されるデータは入力手段から入力された指示データであり、前記ホストパソコンから送出されるデータは直前送出データとの差分データであることを特徴とする請求項６乃至８のいずれかに記載の携帯型記憶媒体を用いたパソコン制御システム。
【請求項１０】
前記ホストパソコンの利用の終了時には、最終処理データは前記携帯型記憶媒体または前記ホストパソコンに格納されることを特徴とする請求項６乃至９のいずれかに記載の携帯電話機を利用したパソコン制御システム。
【請求項１１】
前記携帯型記憶媒体は、ＳＤカード、メモリスティックフラッシュメモリ、ＵＳＢメモリのいずれかであることを特徴とする請求項６乃至１０のいずれかに記載の携帯電話機を利用したパソコン制御システム。
【請求項１２】
前記携帯型記憶媒体は、前記携帯電話機と前記パソコンでの信号処理を可能とするための共通フォーマットのデータ構造をもつことを特徴とする請求項６乃至１１のいずれかに記載の携帯電話機を利用したパソコン制御システム。
【請求項１３】
パソコン動作を制御するプログラムが格納されている携帯型記憶媒体が装着される装着部と、パソコンとの接続用のＵＳＢケーブルの接続ポートとを備え、前記携帯型記憶媒体の装着に応答して前記プログラムが起動されることを特徴とする携帯電話機。
【請求項１４】
前記携帯型記憶媒体には、パソコン用の所定のアプリケーションプログラムが格納されていることを特徴とする請求項１３に記載の携帯電話機。
【請求項１５】
前記パソコン制御終了時には、作業データは前記携帯型記憶媒体にのみ保存されることを特徴とする請求項１３又は１４に記載の携帯電話機。
【請求項１６】
前記携帯型記憶媒体の前記携帯電話機への装着に応答して、前記パソコンの制御を介して、前記パソコンに通信回線を介して接続されているホストパソコンの状態を監視し、その電源がオフであるときには当該電源をオンとした後、前記ホストパソコンを起動して制御することを特徴とする請求項１３乃至１５のいずれかに記載の携帯電話機。
【請求項１７】
前記携帯型記憶媒体は、ＳＤカード、メモリスティックフラッシュメモリ、ＵＳＢメモリのいずれかであることを特徴とする請求項１３乃至１６のいずれかに記載の携帯電話機。
【発明の詳細な説明】
【技術分野】
【０００１】
本発明は携帯電話機を利用したパソコン制御システム及び携帯電話機に関する。
【背景技術】
【０００２】
携帯機器や情報家電などの種々の機器がネットワークに接続され、”いつでも、どこでも”利用できるユビキタス社会の実現が、種々分野において着実に進んでいる。その中でもパソコンの利用はユーザにとっては最も重要であり、無線ＬＡＮ等の通信ネットワークの著しい発展は更なる利便性を与えるようになっている。
【０００３】
近年、ユビキタス環境は、パソコンが設置されている空港、ファーストフード、インターネットカフェ等、ホットサービス提供環境下で簡単に得られる。一方、かかる環境下で使用できるパソコンは一律であり、インターネット利用プログラム、ワープロ、表計算等の最小限のアプリケーションプログラムが格納されているに過ぎず、ユーザ個々の特有のアプリケーションプログラムの利用は不可能である。
【発明の開示】
【発明が解決しようとする課題】
【０００４】
上述のようにユビキタス環境が整っていたとしても、そのような環境化で設置されている汎用パソコンを操作するユーザにとって利用性の面で種々の不都合がある。
【０００５】
例えば、会社や自宅等で使用する主パソコンによる作業データは、画像データを含め大きなデータとなり、主パソコンに内蔵されたハードディスクに保存され、上記汎用パソコンでの作業には制約がある。そこで、主パソコンで利用するアプリケーションプログラムは多種多様であり、上記汎用パソコンでの利用は困難である。
【０００６】
このとき主パソコンがノートパソコンであればそのまま持ち運びが可能であるものの、それでも簡単に持ち運ぶには重量的に煩雑であり、作業性の問題もある。
【０００７】
また、上記汎用パソコンによる作業データは、作業終了時、見かけ上は消去されているが、Ｅメールデータを含め当該パソコンから完全に消去されるわけではなくセキュリティ上の問題が残る。
【０００８】
そこで、本発明の目的は、特定のパソコン利用を前提とせずにセキュリティを確保でき、簡単にユビキタス環境を実現できる携帯電話機を利用したパソコン制御システム及び携帯電話機を提供することにある。
【０００９】
本発明の他の目的は、ホストパソコンの起動、制御を可能としつつセキュリティを確保でき、簡単にユビキタス環境が得られる携帯電話機を利用したパソコン制御システム及び携帯電話機を提供することにある。
【課題を解決するための手段】
【００１０】
前述の課題を解決するため、本発明による携帯電話機を利用したパソコン制御システム及び携帯電話機は、次のような特徴的な構成を採用している。
【００１１】
（１）パソコン動作を制御するプログラムが格納されている携帯型記憶媒体が装着された携帯電話機と、パソコンがＵＳＢケーブルを介して接続され、前記携帯型記憶媒体に格納されているプログラムに基づいて前記パソコン動作を制御する携帯電話機を利用したパソコン制御システム。
【００１２】
（２）前記携帯型記憶媒体には、パソコン用の所定のアプリケーションプログラムが格納されている上記（１）の携帯電話機を利用したパソコン制御システム。
【００１３】
（３）前記所定のアプリケーションプログラムは、インターネットを介して接続されているサーバ内に用意されている上記（１）又は（２）の携帯電話機を利用したパソコン制御システム。
【００１４】
（４）前記パソコン使用中は前記携帯型記憶媒体へのアクセスが禁止されている上記（１）乃至（３）のいずれかの携帯電話機を利用したパソコン制御システム。
【００１５】
（５）前記パソコンの利用終了時には、作業データは前記携帯型記憶媒体にのみ保存される上記（１）乃至（４）のいずれかに記載の携帯電話機を利用したパソコン制御システム。
【００１６】
（６）パソコン動作を制御するプログラムが格納されている携帯型記憶媒体が装着された携帯電話機と、パソコンがＵＳＢケーブルを介して接続され、前記携帯型記憶媒体に格納されているプログラムに基づいて前記パソコン動作が制御され、
通信回線を介して前記パソコンに接続されているホストパソコンを起動して制御する携帯電話機を利用したパソコン制御システム。
【００１７】
（７）前記携帯型記憶媒体の前記携帯電話機への装着に応答して、前記パソコンの所定のプログラムが立ち上がり、前記ホストパソコンの状態を監視し、その電源がオフであるときには当該電源をオンとした後、前記ホストパソコンを起動して制御する上記（６）の携帯電話機を利用したパソコン制御システム。
【００１８】
（８）前記パソコンとホストパソコン間で授受されるデータは暗号化されている上記（６）又は（７）の携帯電話機を利用したパソコン制御システム。
【００１９】
（９）前記クライアントパソコンから送出されるデータは入力手段から入力された指示データであり、前記ホストパソコンから送出されるデータは直前送出データとの差分データである上記（６）乃至（８）のいずれかの携帯型記憶媒体を用いたパソコン制御システム。
【００２０】
（１０）前記ホストパソコンの利用の終了時には、最終処理データは前記携帯型記憶媒体または前記ホストパソコンに格納される上記（６）乃至（９）のいずれかの携帯電話機を利用したパソコン制御システム。
【００２１】
（１１）前記携帯型記憶媒体は、ＳＤカード、メモリスティックフラッシュメモリ、ＵＳＢメモリのいずれかである上記（６）乃至（１０）のいずれかの携帯電話機を利用したパソコン制御システム。
【００２２】
（１２）前記携帯型記憶媒体は、前記携帯電話機と前記パソコンでの信号処理を可能とするための共通フォーマットのデータ構造をもつ上記（６）乃至（１１）のいずれかの携帯電話機を利用したパソコン制御システム。
【００２３】
（１３）パソコン動作を制御するプログラムが格納されている携帯型記憶媒体が装着される装着部と、パソコンとの接続用のＵＳＢケーブルの接続ポートとを備え、前記携帯型記憶媒体の装着に応答して前記プログラムが起動される携帯電話機。
【００２４】
（１４）前記携帯型記憶媒体には、パソコン用の所定のアプリケーションプログラムが格納されている上記（１３）の携帯電話機。
【００２５】
（１５）前記パソコン制御終了時には、作業データは前記携帯型記憶媒体にのみ保存される上記（１３）又は（１４）の携帯電話機。
【００２６】
（１６）前記携帯型記憶媒体の前記携帯電話機への装着に応答して、前記パソコンの制御を介して、前記パソコンに通信回線を介して接続されているホストパソコンの状態を監視し、その電源がオフであるときには当該電源をオンとした後、前記ホストパソコンを起動して制御する上記（１３）乃至（１５）のいずれかの携帯電話機。
【００２７】
（１７）前記携帯型記憶媒体は、ＳＤカード、メモリスティックフラッシュメモリ、ＵＳＢメモリのいずれかである上記（１３）乃至（１６）のいずれかの携帯電話機。
【発明の効果】
【００２８】
本発明の携帯電話機を利用したパソコン制御システム及び携帯電話機によれば、次の如き実用上の顕著な効果が得られる。即ち、本発明によれば、日常的に必携ツールである携帯電話機に携帯型記憶媒体を装着するだけで、きわめて簡単にユビキタス環境が得られる。また、携帯型記憶媒体に格納されているミドルウエアとしての機能を為す所望のアプリケーションプログラムに基づくパソコン制御が可能となるためユーザ固有のパソコン環境が得られる。更に、作業が完了してパソコン利用終了時には、作業データは携帯型記憶媒体に記憶されて処理を終了するので、ユーザ固有データが汎用パソコンに残ることがなくセキュリティ面でも有効である。更にまた、携帯型記憶媒体を携帯電話機に装着することによって、インターネット網等の通信回線に接続されているクライアントパソコンを制御して、当該通信回線に接続されているホストパソコンを起動制御しているので、何時でも何処でもホストパソコンの利用環境をそのまま利用できる。このとき、ホストパソコンの電源がオフ状態であってもクライアントパソコンからの制御により当該電源をオン状態として利用しているので、効率的運用が可能で省電力化を図ることもできる。
【実施例１】
【００２９】
以下、本発明による携帯電話機を利用したパソコン制御システム及び携帯電話機の好適実施例について添付図面を参照しながら説明する。
【００３０】
本発明においては、ユビキタス環境を実現するため、携帯電話機に装着される携帯型記憶媒体に、いわゆるミドルウエアとしての機能を為す所望のアプリケーションプログラムが格納されている。当該携帯型記憶媒体が携帯電話機に装着され、ＵＳＢケーブルを介してパソコンに接続されたときに、携帯型憶媒体内の起動プログラムが自動的に起動され、必要であれば、記憶媒体の認証処理やユーザにより入力されたＩＤやパスワード等の認証データを参照して認証処理が行われ、所望のアプリケーションプログラムが起動されて作業が開始される。なお、以下の実施形態では携帯電話機に装着する記憶媒体としては、任意の記憶媒体が用いられる。例えば、ＳＤカード、メモリスティックフラッシュメモリ、ＵＳＢメモリ等、その種類を問わない。
【００３１】
本発明の主要な概念は、ユビキタス環境を実現するのに最も好適な携帯電話機を媒介としてＵＳＢケーブルで制御対象としてのパソコンを制御することである。携帯電話機は、必携ツールであるから、当該携帯電話機に装着する携帯型記憶媒体に格納されている制御プログラムに基づいてパソコンの動作を制御することにより、インターネット接続環境がない場合でも携帯電話機によりインターネット接続環境を得ることができる。
【００３２】
携帯型記憶媒体には、携帯型記憶媒体自体にアプリケーションプログラムを格納しておいても良いし、パソコンを制御するプログラムだけを格納しておき、利用するアプリケーションプログラムは、インターネットを介して接続されているサーバに用意しておいても良い。
【００３３】
また、作業が完了してパソコンの利用終了時には、作業データは携帯型記憶媒体に記憶されて処理を終了する。このとき、作業終了時の状態情報もこの携帯型記憶媒体に記憶される。作業終了時の状態情報とは、作業終了時に使用していたアプリケーションプログラムや作業データ等の情報を含む。
【００３４】
図１は本発明の一実施例による携帯電話機を利用したパソコン制御システム及び携帯型記憶媒体の構成例を示す図である。図１において、携帯電話機１には、外部メモリとしての携帯型記憶媒体（例えば、ＳＤカード、メモリスティックフラッシュメモリ、ＵＳＢメモリ等）１１が挿入等により装着される記憶媒体装着部１０１が設けられている。携帯電話機１には、またバッテリ（リチウムイオンバッテリ）１３が装着される。携帯電話機のＵＳＢポート１０２には、更にＵＳＢケーブル３のＵＳＢ端子３Ａが接続される。
【００３５】
パソコン２にはＵＳＢケーブル３の他端側のＵＳＢ端子３Ｂが接続され、パソコン２と携帯電話機１はＵＳＢケーブル３を介して接続される。
【００３６】
携帯電話機１は、通常は携帯電話機そのものとして利用されるが、パソコンを利用したい場合には、上述の如くＵＳＢケーブル３で当該パソコン２と接続する。その際、携帯型記憶媒体１１が携帯電話機１に装着されている。この状態では、携帯型記憶媒体１１に記憶されているプログラムに基づいて以下に説明するようにパソコン２が制御される。
【００３７】
携帯電話機１としては、ＵＳＢポートＭＩＮＩＢタイプで汎用のＵＳＢケーブルが使用できること、携帯型記憶媒体を装着するためのメモリスロットを有すること、ＰＯＰ３／ＡＭＴＰマルチアカウント仕様で、メールデータを携帯型記憶媒体で管理できること、ＵＳＢからバッテリを充電できること、携帯電話機のボイス機能はＷＡＶ形式データ仕様であること等が望ましい。
【００３８】
本実施例で得られる機能としては、携帯電話機１自体のもつ機能（例えば、メール機能、インターネット機能：ブックマークデータの出し入れ等）があり、パソコン２の大型ディスプレイに表示される情報を視認しながらの操作が可能となり、操作性が格段に改善される。また、ｅ−ｍａｉｌ（ＰＯＰ３／ＳＭＴＰ）、アドレス帳（メール用）、電話帳（電話用）、ボイスレコーダ、Ｗｅｂコンテンツ（お気に入り等）、スケジューラ、カメラ機能等が利用できる。このとき、携帯電話機１はパソコン２に接続され、電源がパソコン２側から供給されるので、バッテリ１３の充電も可能となる。
【００３９】
一方、パソコン２は携帯電話機１に接続されるので通信環境が整うことになり、パソコン２を用いた通信環境、インターネット利用環境が得られることになる。
【００４０】
パソコン２に格納されているソフトウエアとしては、メール機能（ＰＯＰ３／ＳＭＴＰ）、アドレス帳（メール用）、電話帳、ボイスデータ管理、ブックマーク管理（パソコン用と携帯電話機用）、スケジュール（パソコン用と携帯電話機用）、ビットマップ管理等が含まれている。
【００４１】
携帯型記憶媒体１１には、ＵＳＢケーブル３を介してパソコン２とのデータ授受を実行するとともに、パソコン２にインストールされているアプリケーションプログラムを制御するための制御部を備える。
【００４２】
携帯型記憶媒体１１には、ユーザが会社や自宅に設置されている主パソコンにインストールされているアプリケーションプログラムのうち所望のアプリケーションプログラムが格納され、携帯型記憶媒体１１が携帯電話機１に装着され、携帯電話機１とパソコン２がＵＳＢケーブル３を介して接続されたときに、携帯型記憶媒体１１内の起動プログラムが自動的に起動され、認証処理が実行され、所望のアプリケーションプログラムが起動されて作業を開始する。
【００４３】
また、アプリケーションプログラムは、利用するパソコンがインターネットを介してサーバに接続されるときには、サーバに用意されているアプリケーションプログラムを利用することができる。
【００４４】
作業が完了してパソコン２の利用が終了すると、作業に用いていたデータは携帯型記憶媒体１１に記憶されて処理を終了する。このとき、作業終了時の状態情報もこの携帯型記憶媒体に記憶される。作業終了時の状態情報とは、作業終了時に使用していたアプリケーションプログラムや作業データ等の情報を含む。
【００４５】
携帯型記憶媒体１１は、携帯電話機１とパソコン２での信号処理を可能とするための共通フォーマットのデータ構造をもつように構成されている。
【００４６】
パソコン２に搭載されているWindowsのようなＯＳ上で動作可能な携帯型記憶媒体１１が携帯電話機１に装着されると、パソコン制御用リムーバブルメモリとして認識し、携帯型記憶媒体１１内の制御プログラムがミドルウエアとして動作する。制御プログラムは、他の記憶媒体にコピーして利用できないような構成を採用している。この制御プログラムによりパソコン処理を停止するときに、その動作状態を携帯型記憶媒体１１に記憶保存しておいて次回の起動時に当該動作状態で動作を継続できるようにすることができる。
【００４７】
図２は本実施例における動作処理手順を示すフローチャートである。
本実施例では、携帯電話機１とパソコン２がＵＳＢケーブル３を介して接続されている状態では、すなわち、上記パソコン２の制御、使用中は、携帯電話機は、メール、ブラウザ、カメラ、ビデオ等の機能は使用可能であるが、拡張メモリとしての携帯型記憶媒体１１に対するデータの入出力はできない。
【００４８】
さて、図２を参照すると、携帯電話機１とパソコン２のＵＳＢポート１２と２０１に、ＵＳＢケーブル３が接続されると（ステップＳ１）、携帯型記憶媒体１１に格納されているアプリケーションプログラムに基づくパソコン制御が開始される（ステップＳ２）。その際、ユーザが入力したパスワードに基づく照合手法等による認証処理を実行することによりセキュリティを改善することができる。
【００４９】
ステップＳ２の処理後、このパソコン２の制御動作が開始されるが、その制御動作中に携帯電話機の機能を使用するか否かを判定し（ステップＳ３）、携帯型記憶媒体１１に記憶されている制御プログラムに基づくパソコン制御、つまり、パソコン２が携帯電話機１に接続されている携帯型記憶媒体１１をリムーバブルメモリとして使用し（ステップＳ４）、処理の終了時は、携帯型記憶媒体１１に最終作業データや状態データが保存される。
【００５０】
一方、ステップＳ３において、パソコン制御動作中に携帯電話機の機能を使うと判定されると、携帯電話機の機能であるカメラ、ビデオ、メール電話等の機能を使用可能状態とし（ステップＳ５）、外部メモリとしての携帯型記憶媒体１１にアクセスしているか否かを判定し（ステップＳ６）、アクセスしていなければ処理を続行し、アクセスしているときには、パソコン２を使用中であるため、携帯型記憶媒体１１の使用を不可としロック状態として（ステップＳ７）、処理を続行する。
【００５１】
図３は、本実施例における携帯電話機１内部の要部構成図を示す。携帯電話機１のＵＳＢポート１２とパソコン２のＵＳＢポート２０１間にＵＳＢケーブル３が接続される。携帯電話機１には、ＵＳＢ拡張メモリとしての携帯型記憶媒体１１とバッテリ１３が装着されている。キーボタン等の入力部１４から入力された入力情報に基づいてＣＰＵ１５が内部メモリ１６を使用しながら処理を実行し、表示部１７に処理結果や動作状態等を表示させる。
【００５２】
本実施例は、ＵＳＢポートを持ったパソコンと連携したシステムであり、フラッシュメモリ等の任意の携帯型記憶媒体を装着した携帯電話機１をＵＳＢケーブル３を介してパソコン２と接続したときに、当該携帯型記憶媒体に格納されているプログラムに従って自動的に専用ソフトウエアが立ち上がり、予め設定してある各種のアプリケーションプログラム機能（例えば、メール機能、スケジュール機能、ブックマーク機能の他、ワープロや表作成機能等）をユーザ固有のアプリケーションプログラムとして使用することができる。また、パソコン１の使用を終了した時には、作業終了状態を含め作業データはすべて携帯型記憶媒体１１に保存され、当該パソコンには一切のデータが記憶されないようにして何らの利用形跡を残さない。
【実施例２】
【００５３】
次に、本発明の他の実施例として会社や自宅に設置されている主パソコンを制御する例について図４を参照しながら説明する。
【００５４】
本実施例は、携帯電話機１を用いて、通信回線、好ましくは、インターネット網に接続されているクライアントとしてのパソコン２を利用してホストパソコン２１Ａ〜２１Ｅのいずれかを制御する例である。本実施例では、ホストパソコン２１Ａを制御する場合について説明する。
【００５５】
携帯電話機１のＵＳＢポート１０２に携帯型記憶装置１１が挿入されることにより動作が開始され、認証処理が実行される。認証がＯＫであると、携帯型記憶装置１１に格納されているプログラムに従って会社または自宅等に設置されているホストパソコン２１Ａの動作状態を監視し、その電源がオンであるかオフ状態であるかを検知する。当該電源がオフであるときには、その電源をオン動作させるための信号（Wake On LAN信号）を、携帯電話機１等により設定されたインターネット網１００を経由して送出してホストパソコン２１Ａの電源をオンとせしめる。
【００５６】
こうしてホストパソコン２１Ａの電源が入ると、次にＲＤＰプロトコルで当該ホストパソコン２１Ａにログインする。ログイン後、当該ホストパソコン２１Ａの使用が許されるユーザであるか否かの認証を行う。この認証は、通常のパソコン立ち上げ時のユーザ認証と同様であり、インターネット網１００を経由してクライアントパソコン２から入力された情報が予め登録されている情報と一致しているかを確認することにより行われ、一致しているときには、ホストコンピュータ２１Ａの動作を制御するような状態とする。
【００５７】
かかる処理を経て、クライアントパソコン２から遠隔地に設置されているホストパソコン２１Ａ〜２１Ｅのいずれか（本実施例では、ホストパソコン２１Ａ）を制御できる状態に至る。
【００５８】
したがって、ホストパソコン２１Ａに内蔵されているアプリケーションプログラムをクライアントパソコン２から直接的に利用でき、またホストパソコン２１Ａに接続（ＬＡＮ接続）されているサーバ２２、ネットワークプリンタ２３、ローカルディスク２４等の周辺装置も利用できるようになる。
【００５９】
こうして、携帯型記憶装置１１が装着された携帯電話機１とＵＳＢケーブル３を介して接続されているクライアントパソコン２は、ホストパソコン２１Ａに接続されている周辺装置、クライアントパソコン２に接続されている周辺装置のいずれをも利用できる環境が得られる。例えば、処理結果を会社に設置されているプリンタで印字出力させることもできるし、クライアントパソコン２に接続されているローカルプリンタ５から印字出力させることもできる。
【００６０】
クライアントパソコン２とホストパソコン２１Ａ間は、インターネット網１００を介して接続されているが、ハッキング、ウィルス侵入等から主パソコンを守るためファイヤウォール６が設けられている。また、ファイヤウォール６とホストパソコン２１Ａ〜２１Ｅ間にはルータ７とポートマスカレード８とが設置されている。ルータ７は、グローバルアドレスをプライベートアドレスに変換する。ポートマスカレード８は、ＩＰアドレスの変換だけでなく、その上位プロトコルであるTCP／UDPのポート番号も識別することにより、異なる通信ポートを利用するものについては、1つのグローバルＩＰアドレスを利用して、複数のローカルノードが外部と通信できるようにする。
【００６１】
本実施例では、このポートマスカレード８を用いて１つのグローバルアドレスに対して複数のポートとＩＰアドレスへ変換を行うことにより、複数のホストパソコン２１Ａ〜２１Ｅを登録する。このように、グローバルアドレス「１」に対して、複数のホストパソコンをアサインする専用のポートマスカレードを備えているため、１台から複数台をカバーでき、したがって、１名のユーザから複数ユーザにまで対応可能となる。ここでは、グローバルアドレスは１ケ使用し、ファイヤウォール６から使用ポートを開ける。
【００６２】
以上のような動作を経てクライアントパソコン２は、インターネット網１００を介してホストパソコン２１Ａ〜２１Ｅのいずれかを制御できることになり、結局、会社や自宅に設置されている自分専用等のホストパソコンの動作環境をそのまま利用できる。この動作環境は、上述の如く、ホストパソコンに接続されている周辺装置等のすべての装置も同様に含むものであるだけでなく、クライアントパソコン２に接続されている周辺装置等、例えば、図４におけるローカルディスク４やローカルプリンタ５をも動作可能な環境であり、データの授受も可能であり、クリップボードの共用も可能なのでコピーや貼り付けも可能である。また、サウンドも共有するため音も出力され、ワークエリアはコピーガード機能が付加されている。
【００６３】
図４において、クライアントパソコン２は、インターネット網１００を介してホストパソコン２１Ａに接続されて通信が為される。クライアントパソコン２は、基本的に、通信機能を有するものであれば良く、アプリケーションプログラムやＯＳがインストールされている必要はなく、最低限キーボードやマウス等の情報入力部と、情報を表示する表示部を備えていれば良い。
【００６４】
ホストパソコン２１Ａは、クライアントパソコン２からの情報を受け、当該情報に対応する処理を実行して処理情報（文字情報、画像情報等）をインターネット網１００を介してクライアントパソコン２に送出して、その表示部に表示する。こうしてクライアントパソコン２の利用者は、ホストパソコン２１Ａとの間で情報の授受を通信により行う。この通信は、ＲＤＰプロトコルを使用して行われる。ここで、クライアントパソコン２とホストパソコン２１Ａ間を結ぶインターネット網１００との通信は、電話回線、ＰＨＳ（ＰＩＡＦＳ）、ＡＤＳＬ、ＣＡＴＶ、専用線、ＩＯＶＰＮ等により、それぞれの特性に応じた速度で行われる。
【００６５】
さて、ユーザは、クライアントパソコン２を操作することにより、インターネット網１００を介してホストパソコン２１Ａに接続し、ＩＤ入力、パスワード入力を通して、本人確認、認証過程を経て、利用環境が整えられる。この状態で、ユーザは、利用したい環境をキーボードからの情報入力により選択する。選択され得る環境は、任意に設定可能であるが、通常のホームページ検索等のインターネット環境、利用者の利用したいＯＳやアプリケーションプログラム等があり、利用者のキーボード操作によって所望の環境が選択されることになる。
【００６６】
このようにして、インターネット網１００を介してホストパソコン２１Ａが接続され、選択された環境が設定され、ユーザによるクライアントパソコン２側のキーボードやマウス等の情報入力部と表示部を利用することにより、あたかも自分が通常使用している職場のある会社や自宅等に設置されているパソコン（ホストパソコン）を違和感なく利用する環境が得られる。
【００６７】
本実施例では、クライアントパソコン２のキーボード操作による入力情報（指令情報：キーボードのキー情報とマウスの位置情報）がインターネット網１００を介してホストパソコン２１Ａに送出され、ホストパソコン２１ＡのＣＰＵと選択されたＯＳ及びアプリケーションプログラムにより処理され、処理後のデータ（画面のみ）がインターネット網１００を介してユーザのクライアントパソコン２に送出され、その表示部に表示される。この表示を確認したユーザは、次の処理のための情報をキーボードやマウス等の情報入力部から入力することにより、当該次の処理情報がインターネット網１００を介して同様にホストパソコン２１Ａに送出され、選択されているＯＳとアプリケーションプログラムに基づいて処理され、同様にクライアントパソコン２に送出される。ここで、クライアントパソコン２とホストパソコン２１Ａ間の送受信データは、例えば１２８ｂｉｔで暗号化されてセキュリティを確保している。
【００６８】
上述本実施例では、クライアントパソコン２としては、本来の情報処理のためのＣＰＵや、パソコンに搭載されるべきＯＳやアプリケーションプログラムのインストールを有する通常のパソコンを利用した例を示しているが、前述のように、クライアントパソコン２としては基本的に情報入力のためのキーボードやマウス等の情報入力部と情報表示のための表示装置とインターネット網へのアクセスを可能とする通信機能だけがあれば良いことは明らかであって、ＣＰＵの速度、記憶媒体の記憶容量、ＲＡＭ、ＯＳの種類やバージョン等は動作に支障をきたすことはなく、モバイル用途の携帯端末（ＰＤＡ等）や携帯電話でもその機能を果たすことができる。
【００６９】
特に、通信速度がＡＤＳＬ、ＣＡＴＶ、光ケーブル等の固定環境での通信速度（数ＭＨｚ〜数十ＭＨｚ）と比較して低通信速度のモバイル環境では、通常の大容量データ通信では重い通信となり、高速な通信が困難であるが、本実施例では、そのような場合でも問題を生じない。つまり、従来のインターネット網を介した通信では、ホストパソコン側の処理とクライアントパソコン側の処理を経た相互通信により行われており、パケット通信に起因して通信環境によるデータ転送速度の低下も生ずることがあるため、ホストパソコン側のＣＰＵが超高速で実行されても、クライアントパソコン側の処理、ＣＰＵの動作の処理速度や内蔵メモリにおけるデータ読み取り／書き込み速度が高速でなければ、結局、総合的な高速処理特性が得られない。
【００７０】
本実施例では、クライアントパソコン２側では、キーボードからの情報入力機能と情報表示機能だけを実行しており、通常のパソコンによる処理とは根本的に異なり、ＣＰＵによるデータ処理やメモリへの書き込み、読み込み等の処理は実行していないので、それら処理に起因する動作速度の制約は存在しない。したがって、本発明によるシステムでは、基本的には、ホストパソコン側の処理速度が動作速度であり、従来と比較して高速動作特性が担保されることになる。
【００７１】
また、本実施例では、クライアントパソコン２からは指令データが送出され、一方、ホストパソコン２１Ａ側から送出されるデータは、直前のデータと比較して差があるデータのみを送出する、いわゆる差分データ送信方式を採用することにより、ホストパソコン側からの送信データ量は従来と比較して大幅に削減される。このことは画像データ伝送の場合に特に顕著であり、画像データのデータ量は一般に大容量であるが、フレーム周期間での画像の変化部分はそれほど多くなく、変化部分のみの画像データのみを送信するようにすれば、小容量データ送信、高速データ送信が可能となり、利用者にストレスを与えることがない。
【００７２】
このように本実施例では、バーチャルなパフォーマンスを奏し、クライアントパソコン２からの指令データと、ホストパソコン２１Ａからの結果データだけがインターネット網１００で双方向に往来しているので、通信データ量は少なく、ナローバンド通信でも重い通信を感ずることなく、またブロードバンド通信ではあたかも外部のパソコンからでも、ホストパソコンそのものの体感スピードが得られることになる。
【００７３】
また、クライアントパソコン２から送出されるデータとホストパソコン２１Ａ側から送出されるデータは、いずれも例えば、１２８ｂｉｔで暗号化されているので、上述複数の認証処理と含めて非常に高いセキュリティが確保されている。
【００７４】
こうしてホストパソコン２１Ａを使用して得られたデータの保存は、ホストパソコン２１Ａ内蔵のメモリへの保存またはＵＳＢケーブル３を介して接続されている携帯電話機１に装着されている携帯型記憶媒体１１への保存に限定しておけば、データの一元管理が為され、保存データの散乱に起因する混乱が回避できる。
【００７５】
本実施例では、ホストパソコンの使用時には、会社や自宅に設置されている当該ホストパソコンの表示部（ディスプレイ）の表示画面はロックされ、動作内容に関する情報が表示されないよう制御し（例えば、表示はオフ画面または固定画面）、セキュリティ面での問題が生じないようにしている。
【００７６】
クライアントパソコン２によるホストパソコンの利用が終了したときには、当該ホストパソコン２１Ａの動作を終了させ、電源をオフとするような制御信号を送出する。また、当該ホストパソコンに接続されている周辺装置（プリンタ等）の動作、電源をオフとせしめることもできる。
【００７７】
本実施例では、いついかなる場所であってもインターネット網等の通信回線を介してホストパソコンが接続されている限り、当該ホストパソコンを同じ環境で利用できる。ホストパソコンは、電源を常時オンとしている必要がなく、必要な時だけ、外部のクライアントパソコンから当該ホストパソコンの電源をオンとして使用することができ、また当該ホストパソコンに接続されているプリンタ等の周辺装置も同様に電源オンさせて使用できるので、電力の節減とセキュリティの強化が可能となる。
【００７８】
以上、本発明による携帯電話機を利用したパソコン制御システム及び携帯電話機の好適実施例の構成および動作を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【図面の簡単な説明】
【００７９】
【図１】本発明の一実施例による携帯電話機を利用したパソコン制御システム及び携帯型記憶媒体の構成例を示す図である。
【図２】本実施例における動作処理手順を示すフローチャートである。
【図３】本実施例における携帯電話機１内部の要部構成図である。
【図４】本発明による他の実施例の構成例を示す構成図である。
【符号の説明】
【００８０】
１        携帯電話機
１１      携帯型記憶媒体
１２      装着部
１３      バッテリ
１４      入力部
１５      ＣＰＵ
１６      表示部
１０１    記憶媒体装着部
１０２、２０１  ＵＳＢポート
２  パソコン（クライアントパソコン）
３        ＵＳＢケーブル
４        ローカルディスク
５        ローカルプリンタ
６        ファイヤウォール
７        ルータ
８        ポートマスカレード
２１Ａ〜２１Ｅ  ホストパソコン
２２      サーバ
２３      ネットワークプリンタ
【図１】
2005202770.tif 000003
【図２】
2005202770.tif 000004
【図３】
2005202770.tif 000005
【図４】
2005202770.tif 000006